(57)【特許請求の範囲】
【請求項１】
レンズ鏡胴内に複数のレンズと絞りとを備えた撮影レンズにおいて、絞り開放時の断面円形状の光路の下側の一部のみを遮光する遮光手段を、前記絞り近傍の光路中に設けたことを特徴とする撮影レンズの遮光構造。
【請求項２】
前記遮光手段は前記絞りの近傍に配置したレンズに貼着したマスク部材であることを特徴とする請求項１の撮影レンズの遮光構造。
【請求項３】
前記遮光手段は前記絞りの地板と一体に構成したものであることを特徴とする請求項１の撮影レンズの遮光構造。
【請求項４】
前記遮光手段は前記絞りの近傍に配置したレンズ枠と一体に構成したものであることを特徴とする請求項１の撮影レンズの遮光構造。
【請求項５】
前記遮光手段は前記レンズ鏡胴と一体に構成したものであることを特徴とする請求項１の撮影レンズの遮光構造。
【発明の詳細な説明】
【０００１】
【産業上の利用分野】
本発明は撮影レンズの遮光構造に係り、特に撮影画角外からの有害光線の入射によるゴーストイメージを除去する撮影レンズの遮光構造に関する。
【０００２】
【従来の技術】
従来のカメラの撮影レンズは、例えばレンズ鏡胴内に、第１レンズ群、第２レンズ群、第３レンズ群及び第４レンズ群が順に配置され、第３レンズ群と第４レンズ群の間に絞りが配置されており、各レンズ群及び絞りを通過した光をＣＣＤ等の撮像面に結像させている。
【０００３】
ところで、太陽、照明光など非常に強い光が従来の撮影レンズの撮影画角外から入射すると、その光が絞り開口端面や鏡胴内面などで反射して撮像面に達するため、撮影画面にゴーストが発生するという問題がある。
かかるゴースト発生の原因となる有害光線を撮像面へ進入させない為に、従来の撮影レンズでは、絞りの開口径やレンズ枠の開口径を小さくしている（図２（Ｂ）参照）。
【０００４】
【発明が解決しようとする課題】
しかしながら、従来の撮影レンズのように絞りの開口径やレンズ枠の開口径を小さくすると有害光の通過領域以外の部分、即ち撮影に必要な光束の通過領域の一部をも広く遮光してしまうという問題がある。このことは、レンズの有効口径を不必要に小さくすることになり、絞り開放時のＦナンバーが大きくなるという問題がある。
【０００５】
本発明はこのような事情に鑑みてなされたもので、有効絞りを小さくせずに、撮影画角外から入射する有害光線によるゴーストの発生を防止する撮影レンズの遮光構造を提供することを目的とする。
【０００６】
【課題を解決する為の手段】
本発明は前記目的を達成するために、レンズ鏡胴内に複数のレンズと絞りとを備えた撮影レンズにおいて、絞り開放時の断面円形状の光路の下側の一部のみを遮光する遮光手段を、前記絞り近傍の光路中に設けたことを特徴としている。
【０００７】
【作用】
本発明は、撮影レンズがテレに近いときに画面下にカーテンのような白茶けたゴーストが発生すること、即ち、絞りの下側部分を有害光線が通過していることが実験によって確認されたことに着目し、この部分に遮光手段を設けることにより有害光を除去し、ゴーストの発生を防止するものである。
【０００８】
即ち、本発明によれば、絞りが配置されている近傍は、光学設計上、略平行光束が通過する部分となっており、撮影画角外の上方から入射した有害光は、この絞り近傍では断面円形状の光路の下側部分に集中している。従って、絞り開放時においてこの部分に遮光手段を設けることにより、有害光を除去している。これにより、ゴーストの発生を防止することができる。
【０００９】
しかも、遮光した面積は絞り開口全体からすれば小さい部分なため、撮影に必要な光束は殆ど通過させることができる。即ち、レンズの有効面積への影響も小さく、遮光によるＦナンバーの変化は実用上無視できる。
また、前記遮光手段として、絞り近傍のレンズの下側にマスク部材を直接に貼着することにより、簡易な構成で有害光を遮光することができる。その他、前記遮光手段を絞りの地板、レンズ枠、又はレンズ鏡胴と一体に構成したものとすることにより、簡易な構成で有害光除去が可能となる。
【００１０】
【実施例】
以下添付図面に従って本発明に係る撮影レンズの遮光構造の好ましい実施例について詳説する。
図１は本発明に係る撮影レンズの遮光構造の第１の実施例の構成を説明するための組立図である。同図に示す撮影レンズの遮光構造は、光軸Ｌに沿って前方から第１レンズ群１１、第２レンズ群１２、第３レンズ群１３及び第４レンズ群１４が順に配置され、第２レンズ群１２と第３レンズ群１３の間に絞りユニット１６が配置されると共に、第３レンズ群１３と第４レンズ群１４の間にレンズ枠１８が配置されている。
【００１１】
そして、絞りユニット１６の後方の第３レンズ群１３の下側の一部には図２（Ｃ）に示すような形状のマスク部材２０が貼着されている。
前記各レンズ群１１、１２、１３、１４及び絞りユニット１６を通過した光はＣＣＤ２４の撮像面に結像される。
絞りユニット１６は透光孔２６Ａを形成したベース板２６上に図示しない２枚の絞り羽根が左右対向して配設されており、ガルバノメータ２８で前記左右の絞り羽根を互いに近づける方向又は離れる方向に移動して絞り開口を拡縮するものである。尚、絞りの形式はこれに限らず、他の形式でもよい。
【００１２】
図２（Ａ）乃至（Ｃ）は絞り全開放時の開口部の様子を説明する為の図である。（Ａ）はマスク部材２０を設けていない場合の図であり、図に示す領域３０は、ゴースト発生の原因となる有害光の通過領域を表している。前記有害光は通常、太陽光又は室内照明光など撮影画角外上方から入射する強い光であり、絞りユニット１６近傍では、絞り開口２６Ａの下側の部分を通過する。
【００１３】
従来は図２（Ｂ）に示すように、絞り開口径ｄを小さくして、有害光の通過を遮っていた。しかし、開口径ｄを小さくすると前述したように有効絞りが小さくなるという問題がある。
そこで、図１の撮影レンズの遮光構造では、第３レンズ群１３の下側の一部に図に示すようなマスク部材２０を貼り付け、このマスク部材２０で、開口２６Ａの下側部分を通過する光を遮光している（図２（Ｃ）参照）。このように、第３レンズ群１３の下側の一部をマスクしていることによって、厳密に言えば有効光束の一部を遮っているため、開放時のＦナンバーは大きくなるが、絞り開口全体から見るとマスクされる面積は極めて小さな面積であるため、Ｆナンバーの変化は実用上殆ど無視できる。
【００１４】
次に、前記の如く構成された撮影レンズの遮光構造の作用について説明する。絞りユニット１６が設けられている付近は、光学設計上、略平行光束が通過する部分（略アフォーカル部）となっており、撮影画角外の上方から入射した有害光は、絞りユニット１６近傍では、絞り開口２６Ａの下側部分を通過する。従って、その部分にマスク部材２０を配置したことにより、有害光を効果的に除去することができる。
【００１５】
しかも、マスクした面積は絞り開口全体からすれば小さい面積であるため、撮影画角内に入射した撮影に必要な光束は殆ど通過させることができる。これにより、Ｆナンバーを実用上変化させることなく、ゴーストの発生を防止することができる。
図３は本発明に係る撮影レンズの遮光構造の第２の実施例の構成を説明するための組立図である。図３の実施例は図１の第３レンズ群１３にマスク部材２０を貼着する代わりに、絞りユニット１６のベース板３６にマスク部３８を一体に構成したもので、図１の実施例の中の同一又は類似の部材には同一の符号を付し、その説明は省略する。
【００１６】
図３に示すように絞りユニット１６のベース板３６は、その開口３６Ａの下側にマスク部３８が一体に構成されており、これにより絞り開口３６Ａの下側を通過する有害光を遮光し、ゴーストを除去している（図２（Ｃ）参照）。
また、マスク部３８を絞り１６のベース板３６と一体に構成する代わりに、レンズ枠１８と一体に構成することも可能である。
【００１７】
図４はマスク部３８をレンズ鏡胴４０と一体に成型した場合の様子を説明するための図である。絞りユニット１６の後方にマスク部３８が鏡胴４０と一体に設けられている。これにより、絞り開口の下側を通過する有害光を遮光している。尚、絞りユニット１６及びマスク部材２０の配置は、これに限らず、第３レンズ群１３の後方に絞りユニット１６′及びマスク部３８′を配置する場合もある。
【００１８】
前記実施例では、マスク部材２０及びマスク部３８、３８′は図２（Ｃ）に示すような形状として説明したが、マスクの形状はこれに限らず、他の形状でもよい。例えば図５（Ａ）、（Ｂ）に示すような形状が考えられる。図のような形状のマスク部材又はマスク部４２、４３にすれば、撮影画角の真上のみならず、斜め上方から入射する有害光線についても充分に遮光することができ、ゴーストの防止にはより有効である。
【００１９】
また前記実施例では、ＣＣＤ２４等の撮像素子を備えたビデオカメラに適用した場合について説明したが、これに限らず、スチルカメラに適用してもよい。
【００２０】
【発明の効果】
以上説明したように、本発明に係る撮影レンズの遮光構造によれば、絞り近傍の光路の下側の一部のみを小さい面積で遮光するようにしたので、撮影に必要な光束を殆ど遮ることなく、撮影画角外の上方から入射する有害光線のみを遮光することができる。これにより、Ｆナンバーの変化は実用上殆ど無視できる程度に抑えることができるとともに、ゴーストの発生を防止することができる。
【００２１】
また、絞り近傍のレンズの下側にマスク部材を直接に固着することにより、或いは、絞りの地板、レンズ枠、又はレンズ鏡胴にマスク部材を一体に構成することにより、簡易な構成でゴーストを防止することができ、良好な画像を得ることができる。
【図面の簡単な説明】
【図１】本発明に係る撮影レンズの遮光構造の第１の実施例の構成を説明する為の組立図
【図２】図２（Ａ）乃至（Ｃ）は絞り開口部の様子を説明する為の図
【図３】本発明に係る撮影レンズの遮光構造の第２の実施例の構成を説明する為の組立図
【図４】マスク部３８をレンズ鏡胴４０と一体に構成した場合の様子を説明する為の図
【図５】図５（Ａ）及び（Ｂ）は遮光マスクの他の形状の例を示す図
【符号の説明】
１１…第１レンズ群
１２…第２レンズ群
１３…第３レンズ群
１４…第４レンズ群
１６…絞りユニット
１８…レンズ枠
２０…マスク部材
３８…マスク部
２４…ＣＣＤ
２６、３６…ベース板
２６Ａ、３６Ａ…透光孔
３０…有害光通過領域
４０…レンズ鏡胴
【図１】
0003610989.tif 000002
【図２】
0003610989.tif 000003
【図３】
0003610989.tif 000004
【図４】
0003610989.tif 000005
【図５】
0003610989.tif 000006